(57)【特許請求の範囲】
【請求項１】
基板と、前記基板上に支持された少なくとも一つの容量性接触スイッチとを備えた印刷物であって、
前記容量性接触スイッチのそれぞれは、導電性要素を備えており、
前記導電性要素は、
第１の導電性を有する材料を備える導電性パッドと、
前記第１の導電性よりも大きな第２の導電性を有する材料を備える導電性メッシュとを備えており、
前記導電性メッシュは、前記パッドの下又は上に配置されて、シート抵抗を減らすようになっている複合導電性要素を構成している
印刷物。
【請求項２】
前記導電性パッドは、１０ｋΩｓｑ−１と５０ｋΩｓｑ−１との間のシート抵抗を持っている、請求項１に記載の印刷物。
【請求項３】
前記導電性メッシュは、１Ωｓｑ−１と５Ωｓｑ−１との間のシート抵抗を持っている、請求項１又は２に記載の印刷物。
【請求項４】
前記導電性パッドは、炭素ベースの導電性インクを備えている、請求項１〜３のいずれか１項に記載の印刷物。
【請求項５】
前記導電性メッシュは、金属ベースの導電性インクを備えている、請求項１〜４のいずれか１項に記載の印刷物。
【請求項６】
前記導電性メッシュは、銀ベースの導電性インクを備えている、請求項５に記載の印刷物。
【請求項７】
前記導電性メッシュは、導電性フォイルを備えている、請求項１〜４のいずれか１項に記載の印刷物。
【請求項８】
前記導電性パッドは、固形ブロックである層を備える、請求項１〜７のいずれか１項に記載の印刷物。
【請求項９】
前記導電性メッシュは、少なくとも１００μｍ、少なくとも２００μｍ、又は少なくとも５００μｍの幅でかつ、１ｍｍを越えない、又は２ｍｍを越えない幅を有するトラックを備える、請求項１〜８のいずれか１項に記載の印刷物。
【請求項１０】
前記メッシュは、トラックの配列を備えている、請求項１〜９のいずれか１項に記載の印刷物。
【請求項１１】
前記メッシュは、トラックの四角形状配列を備えている、請求項１〜１０のいずれか１項に記載の印刷物。
【請求項１２】
前記メッシュは、トラックの円形状配列を備えている、請求項１〜１０のいずれか１項に記載の印刷物。
【請求項１３】
前記円形状配列は、少なくとも一つの環状トラックを備えている、請求項１２に記載の印刷物。
【請求項１４】
前記円形状配列は、少なくとも１本の放射状トラックを備える、請求項１３に記載の印刷物。
【発明の詳細な説明】
【技術分野】
【０００１】
本発明は、相互作用的な印刷物、例えばポスター、書籍、あるいはグリーティングカードのための、導電性要素に関するものである。
【背景技術】
【０００２】
例えば容量性検出要素（capacitive sensing elements）や導電性トラック（conductive tracks）のような導電性要素（conductive elements）は、書籍、ポスター及びグリーティングカードのような印刷物に組み込まれるようになってきており、これにより、印刷物は、相互作用的となることができる。相互作用的な印刷物の例は、GB 2 464 537 A, WO 2004 077286 A, WO 2007 035115 A および DE 1993 4312672 Aの公報に記載されている。
【０００３】
このような相互作用的印刷物は、一つまたは複数の欠点を有している。
【０００４】
容量的な検出要素を、炭素あるいは金属（例えば銀）の粒子あるいは薄片を含む導電性インクを用いて形成できる。金属ベースのインクは、炭素ベースのインクよりも良好な電気的特性を有する傾向がある。しかしながら金属ベースのインクは、一般的に、炭素ベースのインクに比べて、より高価であり、そして、環境に対する負荷が大きい。
【０００５】
一般的に導電性インクから形成される導電性トラックは、容量性検出要素を端子に接続するために使用される。もし、幅広のトラックが用いられれば、そのトラックは、十分に大きなキャパシタンスを持つことができ、容量性検出要素として機能しうる。したがって、ユーザの指がトラックに接近することは、非意図的な応答を引き起こしうる。一つの解決策は、トラックの幅、すなわちキャパシタンスを減らすことである。しかしながら、これは、トラックの抵抗を増やす効果を持ち、このため、動作の最大回数を減らす。通常、もしトラックの幅が減ったときは、より短いトラックが使用される。狭いトラックを使うことは、例えば印刷欠陥という問題のために、製造中に破壊されたトラックが形成される機会、あるいは、動作するトラックが、操作中あるいは処理中に破壊される機会を増やす。
【発明の概要】
【０００６】
本発明は、容量性検出要素として使用される、改善された導電性要素を提供しようとするものである。
【０００７】
本発明の第１の面によれば、導電性要素が提供され、これは、相対的に低い導電性の材料を備える導電性パッドと、相対的に高い導電性の材料を備える導電性メッシュとを備えており、前記メッシュは、前記パッドの上又は下に配置されており、複合導電性要素を形成している。
【０００８】
したがって、導電性要素は、導電性要素の導電性を顕著に減らすことなく、少ない高導電性材料を用いて形成可能である。このことは、導電性要素が、迅速に充電され、放電されることを意味する。
【０００９】
導電性要素は、単独キーの容量性検出要素（すなわち、「容量性の接触ないし近接スイッチ」あるいは「容量性の接触ないし近接ボタン」）として使用可能である。低い導電性の材料とは、好ましくは導電性インクであり、それは例えば、炭素ベースの導電性インクであり、これは、基板上に印刷可能である。比較的に高い導電性の材料は、例えば金属ベースの導電性インクあるいはフォイル（foil）であり、これは、パッドの上又は下に配置可能であり、及び／又は、パッドと同じ平面内に配置可能である。メッシュ及びパッドは、直接的な接触状態にあり、複合的な導電性要素を形成している。
【００１０】
導電性要素は、不透明基板上に支持可能である。したがって、パッド及び／又はメッシュを不透明とすることができ、これにより、材料、寸法及び層厚さについての幅広い選択が可能になる。
【００１１】
基板を柔軟性とすることができ、紙、カード及び／又はプラスチックとすることができる。
【００１２】
本発明の第２の面によれば、相対的に低い導電性の材料を備え、かつ、相対的に狭い線幅を有する導電性メッシュの反転イメージ（reversed out image）を有する導電性パッドと、相対的に高い導電性材料を備え、かつ、前記の反転イメージに位置合わせ（aligned）され、さらに、相対的に広い線幅を有し、さらに、複合導電性要素を構成するように配置されている導電性メッシュとを備えた導電性要素が提供される。
【００１３】
したがって、例えば炭素ベースの導電性インクのように相対的に低い導電性のインクを用いて導電性パッドを印刷し、そして、例えば金属ベースの導電性インクのように相対的に高い導電性のインクを用いて導電性のメッシュを印刷することにより、導電性要素を形成することができ、ここで、導電性パッドは依然として乾いていなくてもよい。導電性メッシュの少なくとも一部が、インク無し領域（ink-free areas）（すなわち反転イメージ）内に印刷されたなら、これは、相対的に高い導電性のインクにおける導電性を減らすかもしれない両インク混合のおそれを減らすことができる。
【００１４】
導電性パッドは、少なくとも１ｋΩｓｑ−１、少なくとも２ｋΩｓｑ−１、あるいは少なくとも５ｋΩｓｑ−１のシート抵抗を持つことができる。導電性パッドは、少なくとも１０ｋΩｓｑ−１、少なくとも２０ｋΩｓｑ−１、あるいは少なくとも５０ｋΩｓｑ−１のシート抵抗を持つことができる。導電性パッドは、２０ｋΩｓｑ−１を越えない、あるいは、５０ｋΩｓｑ−１を越えないシート抵抗を持つことができる。
【００１５】
導電性メッシュは、５０Ωｓｑ−１を越えない、２０Ωｓｑ−１を越えない、あるいは１０Ωｓｑ−１を越えないシート抵抗（固体パッド（solid pad）として試験されたとき）を持つことができる。導電性メッシュは、５Ωｓｑ−１を越えない、２Ωｓｑ−１を越えない、あるいは１Ωｓｑ−１を越えないシート抵抗を持つことができる。導電性メッシュは、少なくとも０．１Ωｓｑ−１、少なくとも０．２Ωｓｑ−１、少なくとも０．５Ωｓｑ−１あるいは少なくとも１Ωｓｑ−１のシート抵抗を持つことができる。
【００１６】
導電性パッドは、例えば炭素ベースの導電性インクのような導電性インクを備えることができる。導電性パッドは、導電性ポリマーを備えることができる。導電性メッシュは、導電性インクを備えることができる。このメッシュは、例えば銀ベースの導電性インクや、銅ベースの導電性インクのような、金属ベースの導電性インクを備えることができる。導電性メッシュは、導電性フォイルを備えることができる。導電性メッシュは、導電性ポリマを備えることができる。
【００１７】
これらのパッド及びメッシュは、好ましくは、同じ領域、あるいはおおよそ同じ領域を覆う。例えば、導電性パッドは、ある領域Ａｐを有し、導電性メッシュは、ある領域Ａｍを有する。そして、１．５×Ａｐ≧Ａｍ≧０．６７×Ａｐ、１．２×Ａｐ≧Ａｍ≧０．８３×Ａｐ、１．１×Ａｐ≧Ａｍ≧０．９１×Ａｐ、あるいはＡｐ≒Ａｍとすることができる。
【００１８】
導電性要素は、少なくとも１００ｍｍ２、少なくとも２００ｍｍ２、あるいは少なくとも５００ｍｍ２の表面領域を覆うことができる。導電性要素は、少なくとも１０００ｍｍ２、少なくとも２０００ｍｍ２、あるいは少なくとも５０００ｍｍ２の表面領域を覆うことができる。導電性要素は、５０００ｍｍ２を越えない、１００００ｍｍ２を越えない、あるいは２００００ｍｍ２を越えない表面領域を覆うことができる。導電性パッドは、固体ブロック（solid block）である層（layer）を備えることができる。
【００１９】
導電性パッドは、少なくとも１μｍ、少なくとも２μｍ、少なくとも５μｍ、あるいは少なくとも１０μｍの厚さを持つことができる。導電性パッドは、５μｍを越えない、あるいは１０μｍを越えない厚さを持つことができる。導電性パッドは、約１μｍ〜約５μｍの範囲の厚さを持つことができる。
【００２０】
導電性メッシュは、少なくとも１μｍ、少なくとも２μｍ、少なくとも５μｍ、あるいは少なくとも１０μｍの厚さを持つことができる。導電性メッシュは、５μｍを越えない、あるいは１０μｍを越えない厚さを持つことができる。導電性メッシュは、約１μｍ〜約５μｍの範囲の厚さを持つことができる。導電性メッシュは、少なくとも１００μｍ、少なくとも２００μｍ、あるいは少なくとも５００μｍの幅を有するトラック（単数または複数）を備えることができる。
【００２１】
導電性メッシュは、１ｍｍを越えない、２ｍｍを越えない、あるいは５ｍｍを越えない幅を有するトラック（単数または複数）を備えることができる。導電性メッシュは、少なくとも１ｍｍ、少なくとも２ｍｍ、あるいは少なくとも５ｍｍの幅を有するトラックを備えることができる。
【００２２】
導電性メッシュは、相対的に高い導電性材料のない解放領域を含むことができ、ここで各解放領域は、少なくとも２０ｍｍ２、少なくとも５０ｍｍ２、あるいは少なくとも１００ｍｍ２となっている。
【００２３】
前記のメッシュは、トラックの配列を備えることができる。トラックは、平行に走っている必要はない。トラックは直線である必要はない。トラックは湾曲状、波状、あるいは正弦波状であってもよい。
【００２４】
前記のメッシュは、四角形状配列のトラックを備えることができる。四角形状配列は、少なくとも１行のトラック、少なくとも２行のトラック、少なくとも３行のトラック、少なくとも４行のトラック、少なくとも５行のトラック、少なくとも６行のトラック、少なくとも７行のトラック、少なくとも８行のトラック、少なくとも９行のトラック、あるいは少なくとも１０行のトラックを含むことができる。前記の四角形状配列は、少なくとも１列のトラック、少なくとも２列のトラック、少なくとも３列のトラック、少なくとも４列のトラック、少なくとも５列のトラック、少なくとも６列のトラック、少なくとも７列のトラック、少なくとも８列のトラック、少なくとも９列のトラック、あるいは少なくとも１０列のトラックを備えることができる。少なくとも２行のトラックを、等間隔に配置することができる。少なくとも２列のトラックを等間隔に配置することができる。トラックの四角形状配列は、正方形状配列であってもよい。
【００２５】
前記のメッシュは、円形状配列のトラックを備えることができる。この円形状配列は、楕円形状であってもよい。円形状配列は、少なくとも一つの環状トラックを備えることができる。少なくとも二つの環状トラック、少なくとも三つの環状トラック、少なくとも四つの環状トラック、少なくとも五つの環状トラック、少なくとも六つの環状トラック、少なくとも七つの環状トラック、少なくとも八つの環状トラック、少なくとも九つの環状トラック、あるいは少なくとも十の環状トラックが存在するかもしれない。十を越えない環状トラックを配置してもよい。環状トラックについての少なくとも二つのペアは、放射方向において等間隔に配置されるかもしれない。円形状配列は、少なくとも一つの放射状トラックを備えることができる。少なくとも三つの放射状トラック、少なくとも四つの放射状トラック、少なくとも五つの放射状トラック、少なくとも六つの放射状トラック、少なくとも七つの放射状トラック、少なくとも八つの放射状トラック、少なくとも九つの放射状トラック、あるいは少なくとも十の放射状トラックが存在するかもしれない。十を越えない放射状トラックを配置してもよい。放射状トラックについての少なくとも二つのペアを、角度において等間隔に配置することができる。
【００２６】
メッシュは、第１長尺状ライン（elongate line）と、それに沿って間隔を開けて配置され、かつその長さ方向においてに第１ラインに交差する、複数の第２短尺ライン（shorter lines）とを備えることができる。第２短尺ラインは、他のラインに交差しないものでもよい。
【００２７】
メッシュは、ラインを備えることができ、導電性要素は、ラインに沿って間隔を置いて配置された複数のパッドを備えることができる。
【００２８】
パッドを不透明とできる。メッシュを不透明とできる。パッドとメッシュとを、不透明な基板上に配置できる。パッドとメッシュとを、紙、カード及び／又はプラスチックを含む基板上に配置できる。
【００２９】
本発明は、コネクタとして使用するための、改良された導電性要素を提供しようとするものである。
【００３０】
本発明の第３の面によれば、長尺導電性トラックのセットと、前記トラックに交差する導電性部材のセットとを備える導電性要素が提供される。
【００３１】
これは、導電性要素の導電性を大きく減少させずに、導電性要素のキャパシタンスを減らすことができ、したがって、低キャパシタンスを持つコネクタを提供することができる。
【００３２】
コネクタは、キャパシタンスＣｐを持つ容量性検出要素にリンク可能である。容量性検出要素は、導電性材料（例えば炭素ベースあるいは金属ベースの導電性インクあるいはフォイル）のパッドの形態、あるいは、相対的に低導電性の材料のパッドと相対的に高導電性の材料のメッシュとで形成された複合導電性要素の形態をとることができる。このコネクタは、キャパシタンスＣｃを有する。コネクタは、好ましくは、容量性の検出要素よりもかなり低いキャパシタンスを有し、例えば、Ｃｃ＜０．２×Ｃｐ、あるいはＣｃ＜０．１×Ｃｐである。したがって、コネクタは、それ自体は容量性検出要素として動作せず、不測の動作を回避するようになっている。
【００３３】
トラック及び／又は部材は、５０Ωｓｑ−１を越えない、２０Ωｓｑ−１を越えない、又は１０Ωｓｑ−１を越えない（固体パッドとして試験されたとき）シート抵抗を持つことができる。導電性メッシュは、５Ωｓｑ−１を越えない、２Ωｓｑ−１を越えない、あるいは１Ωｓｑ−１を越えないシート抵抗を持つことができる。導電性メッシュは、少なくとも０．１Ωｓｑ−１、少なくとも０．２Ωｓｑ−１、少なくとも０．５Ωｓｑ−１、あるいは少なくとも１Ωｓｑ−１のシート抵抗を持つことができる。
【００３４】
トラック及び／又は部材は、導電性インクを備えることができる。前記トラック及び／又は部材は、金属ベースの導電性インクを備えることができる。前記トラック及び／又は部材は、銀ベースの導電性インクを備えることができる。前記トラック及び／又は部材は、導電性のフォイルを備えることができる。
【００３５】
トラック及び／又は部材は、少なくとも１μｍ、少なくとも２μｍ、少なくとも５μｍ、又は少なくとも１０μｍの厚さを持つことができる。トラック及び／又は部材は、５μｍを越えない、又は１０μｍを越えない厚さを持つことができる。トラック及び／又は部材は、約１μｍ〜約５μｍの範囲の厚さを持つことができる。
【００３６】
トラックは、少なくとも１００μｍ、少なくとも２００μｍ、又は少なくとも５００μｍの幅を持つことができる。トラックは、少なくとも１ｍｍ、少なくとも２ｍｍ、又は少なくとも５ｍｍの幅を持つことができる。トラックは、少なくとも１００μｍ、少なくとも２００μｍ、又は少なくとも５００μｍの間隔を置いて配置可能である。トラックは、少なくとも１ｍｍ、少なくとも２ｍｍ、又は少なくとも５ｍｍの間隔を置いて配置可能である。トラックは、少なくとも１０ｍｍ、又は少なくとも２０ｍｍの間隔を置いて配置可能である。
【００３７】
長尺状の導電性トラックのセットは、全体的に、第１の方向に走ることができ、そして、これらのトラックは、第２の、横切る方向において、間隔を置いて配置可能である。
【００３８】
トラックのセットは、１本のトラックを備えることができる。トラックのセットは、少なくとも２本のトラックを備えることができる。トラックのセットは、１０本を越えないトラックを備えることができる。
【００３９】
トラックは、少なくとも１００ｍｍ、少なくとも２００ｍｍ、又は少なくとも５００ｍｍの長さを持つことができる。
【００４０】
トラックのセットは、平行であることができる。
【００４１】
前記の部材は、少なくとも１００μｍ、少なくとも２００μｍ、又は少なくとも５００μｍの幅を持つことができる。部材は、少なくとも１ｍｍ、少なくとも２ｍｍ、又は少なくとも５ｍｍの幅を持つことができる。部材は、少なくとも１００μｍ、少なくとも２００μｍ、又は少なくとも５００μｍの間隔を置いて配置可能である。部材は、少なくとも１ｍｍ、少なくとも２ｍｍ、又は少なくとも５ｍｍの間隔を置いて配置可能である。部材は、少なくとも１０ｍｍ、又は少なくとも２０ｍｍの間隔を置いて配置可能である。部材は、前記したトラックと垂直に交差してもよい。
【００４２】
前記部材のいくつか又は全ては、前記トラックのいくつか又は全てとそれぞれリンクすることができる。例えば、部材は、トラックのセットにおける最外側のトラックどうしの間を架け渡して、最外側のトラックと最外側トラック間のいずれかのトラックとをリンク可能である。
【００４３】
本発明の第５の面によれば、基板と、この基板上に支持される、先行するいずれかの請求項における少なくとも一つ又は少なくとも二つの導電性要素とを備える物品が提供される。
【００４４】
基板は、紙、カード、あるいは他の繊維ベースの材料、又は、プラスチックを含むことができる。基板は、積層構造（laminate）であってもよい。
【００４５】
本発明の第６の面によれば、マイクロコントローラと、このマイクロコントローラに、動作可能なように接続された、少なくとも一つの導電性要素とを備える装置が提供される。
【００４６】
少なくとも一つの導電性要素は、容量性の検出用導電性要素（単数または複数）とマイクロコントローラとの接続用である。代替的に、少なくとも一つの導電性要素は、容量性検出のためであり、装置は、容量性の検出用導電性要素（単数または複数）とマイクロコントローラとを接続するために、少なくとも一つの導電性要素をさらに備えることができる。
【００４７】
本発明の第７の面によれば、相対的に低導電性の材料を備え、かつ、導電性メッシュの反転イメージを有する導電性のパッドを印刷することと、導電性パッドの上方又は下方において反転イメージに位置合わせされた、相対的に高導電性の材料を備える導電性メッシュを印刷することとを備える方法が提供される。
【００４８】
本発明の第８の面によれば、相対的に低い導電性を持つ導電性インクのパッドと、このパッドの上方若しくは下方に及び／又はこのパッドと同じ平面内に配置されて相対的に高導電性の材料からなるメッシュとを備える容量性検出要素が提供される。メッシュ及びパッドは、直接に接触しており、これにより、単独の複合導電性要素を形成するようになっており、ここで、複合導電性要素は、基板上に支持されている。容量性の検出要素は、単独キーの容量性接触、あるいは近接スイッチを提供することができる。
【００４９】
メッシュは、相対的に高い導電性の導電性インクあるいはフォイルを備えることができる。複合導電性要素及び／又は基板は、不透明であってもよい。基板は、可撓性であってもよく、さらには、紙、カード及び／又はプラスチックであってもよい。
【００５０】
本発明の第９の面によれば、導電性要素の上方又は下方に配置されて直接に接触する導電層を用いずに、長尺状の導電性トラックのセットと、前記トラックに交差する導電性部材のセットとを備える導電性要素が提供される。
【００５１】
前記要素は、相対的に高い導電性の導電性インクあるいはフォイルを備えることができる。
【００５２】
本発明の第１０の面によれば、紙、カード及び／又はプラスチックの基板と、複数の容量性検出要素と、及び／又は、基板上に支持されたコネクタとを備える印刷物が提供される。
【００５３】
基板は、２５μｍ〜２５０μｍ、例えば約１２０〜１３０μｍの範囲の厚さを持つことができる。基板は、２５０μｍより大きい厚さを持つことができる。基板は、１ｍｍまで、５ｍｍまで、又は１０ｍｍまでの厚さを持つことができる。
【００５４】
基板は、約２〜４の間の比誘電率εｒを持つことができる。例えば、紙は約３．５〜４．０の間の比誘電率を持つことができる。
【図面の簡単な説明】
【００５５】
本発明の実施形態が、例示として、添付の図面を参照しながら以下に説明される。
【図１】本発明による複数の導電性要素を支持するユーザインタフェース・シートの平面図である。
【図１ａ】導電性要素の第１タイプについての拡大図である。
【図１ｂ】導電性要素の第２タイプの一部についての拡大図である。
【図２】図１のＡ−Ａ'線に沿う、導電性要素の第１タイプについての断面図である。
【図３】図１のＢ−Ｂ'線に沿う、導電性要素の第２タイプについての断面図である。
【図４】図１に示されたユーザインタフェース・シートの製造方法を示す図である。
【図５】図１に示されたユーザインタフェース・シートを含む相互作用的な印刷物を示す図である。
【図６】反転されたメッシュのパターンを持つ導電性パッドの印刷、及び、上に重なるメッシュの印刷についての平面視を示す図である。
【図７】図６のＣ−Ｃ'線に沿う断面図である。
【実施形態についての詳細な説明】
【００５６】
図１を参照すると、本発明による容量的な検出のためのユーザインタフェース・シート１が示されている。
【００５７】
シート１は、基板２を横切って配置された第１タイプの複数の導電性要素３と、端子４のセットと、第２タイプの複数の導電性要素５とを支持する基板２を備える。図１に示されるように、端子４は、領域６にまとめられており、装置あるいはコネクタをそこに取り付けて、端子４との接続ができるようになっている。
【００５８】
第１タイプの導電性要素３は、容量性検出のためのものであり、以降では、「容量性検出要素」あるいは「容量性センサ」として参照される。第２タイプの導電性要素５は、容量性検出要素３を単線トラック（single tracks）７に接続するためのものであり、これらのトラックは、端子４に接続される。第２タイプの導電性要素５は、以降では「接続要素」あるいは「コネクタ」として参照される。接続要素５は、一つ又は複数の方向変化８を含むことができる。ある例では、二つ又はそれより多い容量性の検出要素３が、一つ又は複数の接続要素５により接続可能となっており、したがって、一連のリンクされた容量性検出要素３を形成する。各容量性検出要素３は、単独キーの容量性接触あるいは近接スイッチとして機能する。
【００５９】
基板２は、電気的な絶縁材料を備え、かつ柔軟性を持つ。この例では、基板２は、例えば約１００〜約２００ｇ／ｍ２の重さを持つ、薄い紙のシートあるいはカードを備える。基板２は、３５０ｇ／ｍ２までの、あるいはそれより重い重量をもつことができる。しかしながら、プラスチック材料、例えばポリエチレン・テレフタレート（ＰＥＴ）を使用することができる。ある例では、基板２を、硬質すなわち固いものとすることができる。例えば、基板２は、板紙（paperboard）、ボール紙（cardboard）、硬質繊維板（hardboard）、あるいは厚いプラスチックを備えることができる。基板２及び／又は導電性要素３、５を不透明、つまり非透過性とできる。基板２は、印刷された表示（indicia）（図示せず）、例えば文章及び／又は図を支持できる。印刷された表示（図示せず）は、導電性要素３、５を覆うことができる。保護層（図示せず）は、導電性要素３、５を覆うことができる。保護層（図示せず）を、透明あるいは不透明とすることができ、それは、例えば文章及び／又は図のような印刷された表示（図示せず）を支持できる。保護層（図示せず）は、紙あるいはカードあるいはプラスチックを備えることができる。保護層（図示せず）を、シート２に接着し、あるいは積層することができる。基板材料は、比誘電率εｒを有する。この比誘電率は、約２〜４の間あるいはそれより大であってもよい。
【００６０】
この例では、シート１は、２９７×４２０ｍｍ、つまり国際標準化機構（ＩＳＯ）２１６が既定するＡ３の寸法を有している。ただし、シート１は、より大きいもの、例えばＡ０，Ａ１あるいはＡ２であってもよく、また、より小さいもの、例えばＡ４やＡ５であってもよい。
【００６１】
図１及び図１ａに示されるように、容量的な検出要素３は、円形状の導電性パッド、すなわち導電性ディスクの形態をとる。容量性検出要素３のそれぞれは、約３０ｍｍの半径ｒを持つ。容量性検出要素３は、より大きいもの、あるいはより小さいものであってもよい。さらに、全ての容量性検出要素３が同じ大きさである必要はない。
【００６２】
図２をさらに参照すると、容量性検出要素３のそれぞれは、相対的に低導電性の材料、この場合では炭素ベースの導電性インクを備えるパッド９と、相対的に高導電性の材料、この場合では銀ベースの導電性インクを備え、かつ、パッド９の上に配置されて複合構造を形成する導電性の骨組みすなわちメッシュ１０とを備える。パッド９のシート抵抗は、少なくとも１ｋΩｓｑ−１とすることができ、典型的には、１０〜５０ｋΩｓｑ−１の範囲とすることができる。メッシュ１０の（固体ブロックの）シート抵抗は１０Ωｓｑ−１を越えないものとすることができ、典型的には、１〜５Ωｓｑ−１とすることができる。この例では、パッド９及びメッシュ１０は、約０．５〜１０μｍの範囲内の、典型的には約１〜５μｍの範囲内の、ほぼ同じ厚さを持つ。この例では、さらに上又は下に重畳される、導電性材料の層は、複合構造中には含まれていない。
【００６３】
パッド９は、導電性材料からなる単独の固体ブロックを備える。ただし、パッド９は、空隙、溝を含むことがあり、及び／又は、分断された材料の塊に破断されることがある。
【００６４】
導電性のメッシュ１０は、ｍ個の同心リング１１とｎ個のスポーク１２とからなる円形状配列を備えており、平面視すると、ダーツの標的板のような外観を有する。この例では、６本のリング１１（ｍ＝６）と１２本のスポーク１２（ｎ＝１２）とが存在する。リング１１は、放射方向において、隣接するリング１１と、距離Δｒごとの等間隔で配置され、スポーク１２は、角度方向において、隣接するスポークと、角度Δθごとの等間隔で配置されている。この例では、Δｒ＝５ｍｍで、Δθ＝３０°である。
【００６５】
リング１１は、第１ライン幅ｗ１を有し、スポーク１２は、第２ライン幅ｗ２を有する。この実施形態では、リング１１とスポーク１２とは、同じライン幅を有しており、すなわち、ｗ１＝ｗ２であり、さらに、約３００μｍの厚さを有する。ただし、リング１１とスポーク１２とは、たがいに異なるライン幅を持っていてもよく、及び／又は、より厚く又は薄く、例えば約５００μｍの厚さであってもよい。
【００６６】
容量性検出要素３が円形状である必要はなく、また、導電性メッシュ１０が他の、非円形の形状を有していてもよい。例えば、容量性検出要素３は、長円状、四角形状（例えば正方形状）、あるいは多角形状、あるいは非規則的ないし不均一な形状であってもよい。導電性メッシュ１０は、円形状配列である必要はなく、四角形状配列や他の形状、すなわち不規則あるいは不均一なものでもよく、及び／又は、周期的でない特徴あるいは部材を含んでいてもよい。メッシュ１０の部材１１、１２が垂直に交差する必要はない。さらに、メッシュの部材１１、１２が同一形状とされ、及び／又は、同じサイズとされた解放領域を規定する必要はない。ある実施形態では、メッシュ１０は、一つのノードのみ、例えば、中間で接続されたスポーク１２のセットのみを備えることができる。
【００６７】
メッシュ１０は、繊維状（fibrous）のラインの形態をとることができ、このラインは、このラインの長さ方向に沿ってこのラインに交差する短尺状ラインを有する長尺状ラインを含む。よって、長尺状ラインは、高い導電性のバックボーンあるいは幹線を提供することができ、短尺状ラインは、高い導電性の枝を提供することができる。多くの繊維状ラインを接続して、繊維状メッシュあるいはネットワークを形成することができる。例えばラインの配列を備えるメッシュは、追加的に、例えば繊維状アレイを形成するための短いラインを備えることができる。
【００６８】
導電性メッシュ１０が導電性インクを備える必要はない。例えば、ある実施形態では、導電性メッシュ１０は、例えば熱間あるいは冷間の箔押し（foil stamping）で形成された金属フォイルを備えることができる。
【００６９】
導電性メッシュ１０は、導電性パッド９の上に配置される必要はない。例えば、導電性メッシュ１０は、導電性パッド９の下に置かれてもよい。ある実施形態では、二つ又はそれより多い導電性パッド９及び／又は導電性メッシュ１０を、重畳構造で、あるいは積層配置で提供することができる。ある実施形態では、導電性パッド９は、導電性材料の個別ブロックでうめられたメッシュ１０の解放領域を用いた前記導電性材料の個別ブロックの形態をとることができ、このとき、多くのパッド９と多くのメッシュ１０とは、同一平面となる。以下においてさらに詳しく説明されるように、この配置は、いわゆる「反転（reversing out）」の手順を用いて達成される。
【００７０】
相対的に高い導電性の材料を用いる導電性メッシュ１０の使用により、容量性検出要素３は、相対的に低い導電性の材料を用いるだけの容量性検出要素よりも、低いシート抵抗を有する。
【００７１】
図１、図１ｂ及び図３を参照して、各接続要素５は、長尺状導電性トラック１３のセットと、このトラックに交差する導電性部材（以降において「交差部材」あるいは「リンク部材」として参照される）１４のセットとを備える。この例では、接続要素５は、銀ベースの導電性インクを、すなわち、導電性メッシュ１０（図１ａ）を形成するために用いられるものと同じ材料を備える。図１に示されるように、接続要素５は、約１０ｍｍから約５００ｍｍの間の長さＬを持つことができる。ただし、接続要素５の長さは、５００ｍｍを越えることもできる。
【００７２】
複数の長尺状導電性トラック１３は、幅ｗを持つ帯（band）を形成している。この、そして他の実施形態では、この帯は、指の幅よりも一般的に広く、それは典型的には約２０ｍｍである。この実施形態では、Ｗ＝２５ｍｍとなっている。
【００７３】
接続要素５は、ｐ個のトラック１３とｑ個の交差部材１４（１センチメートルあたり）とを備える。この例では、５本のトラック１３（ｐ＝５）と、単位センチメートル当たり１本の交差部材１４（ｑ＝１ｃｍ−１）とを備えている。トラック１３は、たがいに平行に走っており、距離ａで等間隔に配置されている。この例では、ａ＝５ｍｍである。交差部材１４は、たがいに平行となっており、距離ｂで等間隔に配置されている。この例では、ｂ＝１０ｍｍである。図１及び図１ｂに示されるように、交差リンク部材１４は、トラック１３に垂直に交差して走っている。さらに、図１及び図１ｂに示されるように、交差部材１４は、接続要素５の両外側トラックの間で延長されて、トラックをリンクしている。ただし、交差部材１４が全てのトラック１３に交差する必要はない。
【００７４】
トラック１３は、第３の線幅ｗ３を有し、交差部材１４は、第４の線幅ｗ４を有する。この実施形態では、トラック１３及び交差部材１４は、同じ線幅を有しており、したがって、ｗ３＝ｗ４となっており、また、約３００μｍの厚さを持っている。ただし、トラック１３及び交差部材１４は、互いに異なる線幅を持つことができ、かつ、より薄く又は厚くてもよく、例えば約５００μｍの厚さである。
【００７５】
接続要素５は、互いに分離された狭い複数トラックに分割された単独のトラックのようなものであってもよい。もし、ユーザが、その指を接続要素５の上方に配置すれば、少ない容量性結合となる。もし、接続要素５の幅が、指の幅よりも広ければ、容量性結合は、大きく減少するであろう。接続要素５のそれぞれは、好ましくは、キャパシタンスＣｃを（導電性要素３と端子４との間において）有し、例えば、Ｃｃ≦０．２×Ｃｐ、あるいはＣｃ≦０．１×Ｃｐであり、ここでＣｐは、導電性要素５のキャパシタンスである。接続要素５のそれぞれは、好ましくは、抵抗Ｒｃを（導電性要素３と端子４との間において）有し、例えば、Ｒｃ≦１０ｋΩ、あるいはＲｃ≦５ｋΩである。したがって、接続要素５は、導電性要素３の充電及び放電を阻害しない。交差要素１４の使用は、トラック１３をリンクしやすくし、それにより欠陥及び／又は破損の効果を最小化する。
【００７６】
図４を参照して、シート１を製造する方法を以下に説明する。
【００７７】
導電性要素３、端子４、及びトラック５は、印刷の工程、たとえばスクリーン印刷、インクジェット印刷、フレキソ印刷（flexography）、又はオフセット印刷を用いて形成可能である。
【００７８】
図４に示されるように、例えばインクジェット、オフセット、あるいはスクリーンプリンタである第１プリンタ１５が用いられて、第１インク１６を基板２上に適用できるようになっている。この例では、第１インク１６は、炭素ベースの導電性インクを備えており、導電性パッド９を形成するために用いられている。
【００７９】
インク１６は、乾燥するのに十分な程度に放置され、あるいは、さらなるインク層を印刷できるように硬化される。
【００８０】
例えばインクジェット、オフセットあるいはスクリーンプリンタである第２プリンタ１７が用いられて、第２インク１８がシート２の上に適用できるようになっている。第２インク１８は、銀ペースの導電性インクを備えており、端子４（図１）、接続要素５、及び導電性メッシュ１０を形成するのに用いられる。
【００８１】
適切な導電性リンクは、米国ニュージャージー州パーシッパニー（Parsippany）のSun Chemical Corporationから入手可能である。
【００８２】
先に説明したように、インク１６と１８の順序を反転させることができる。また、前記した相対的に高い導電性のインクを、例えばアルミニウム又は銀を含む金属フォイルに置き換えることができる。
【００８３】
図５を参照すると、シート１を用いる、相互作用的な印刷物１９が示されている。
【００８４】
相互作用的な印刷物１９は、相互作用的なポスターの形態をとっている。シート１は、ポスター２０の背後に置かれており、このポスターは、その上に印刷された表示２１を有しており、それによってユーザインタフェースを提供するようになっている。単独のシートを用いることができ、換言すれば、シートの一側はユーザインタフェースを支持し、反対側は印刷された表示を支持することができる。その場所でのポスターへの接触をユーザに案内、招待、あるいは指示する、配置された表示２１のいくつかに対して、容量性検出要素３を位置合わせ可能である。装置２２は、シート１に設置されており、それは単独で、あるいは他の回路と組み合わせて、音響的及び／又は視覚的出力を提供できる。
【００８５】
再び図１ａを参照して、もし印刷ラインが容量性検出要素３を形成するために使用されるのであれば、それは「ウエットオンウエット（wet-on-wet）」で印刷されるのであり、すなわち、導電性メッシュ１０が、導電性パッド９の上に印刷される一方で、導電性パッド９を形成するインクは、依然として未乾燥（wet）である。ただし、これはインクの混合を引き起こすかもしれず、それは、導電性メッシュ１０の導電性を低下させうる。
【００８６】
一つの解決策は、導電性パッド９の印刷と、導電性メッシュ１０の印刷との間に、十分に長く、例えば数時間待って、導電性パッド９のインクが乾くようにすることである。
【００８７】
ほかに、より迅速な解決策は、例えば紫外（ＵＶ）光を用いる硬化可能なインク組成を用いることであり、そして、導電性メッシュ１０を印刷する前に、導電性パッド９のインクを硬化させることである。
【００８８】
更なる解決策は、以下に詳しく述べるような「反転（reversing out）」の手順を用いることである。
【００８９】
図６及び図７を参照して、修正形態としての導電性パッド９'を印刷可能である。導電性パッド９'は、この例では、導電性メッシュ１０の反転イメージ（reversed-out image）２３を有するインクの領域２２から構成されている。イメージ２３を構成する隙間は、幅ｗ５を有し、それは例えば約０．５ｍｍである。導電性メッシュは、先に記載した導電性メッシュ１０（図１ａ）と同様のものでよく、それは線幅ｗ６を有する上部に印刷され、ここでこの線幅は、ｗ６＞ｗ５であり、例えば１ｍｍである。これは、高い導電性の材料を備える第１の中央領域２５と、第１領域２５内のインクより低い導電性を持つインク混合物を備える第２のインタフェース領域２６とを備える混合されたメッシュ２４を形成する。理解されるべきこととして、パッド及びメッシュのパターンは、前記したものとは異なっていてもよい。さらに理解されるべきこととして、印刷の順序は、反転してもよく、すなわち、導電性メッシュが第１に印刷され、それから導電性パッド９'が印刷されてもよい。
【００９０】
したがって、もし「ウエットオンウエット」印刷が使用されたとしても、高い導電性のメッシュあるいは骨組みを形成可能である。
【００９１】
理解されるべきこととして、前記した実施形態に対して、多くの変形が可能である。相互作用的な印刷物は、ポスターである必要はなく、書籍、カレンダー、グリーティングカード、製品包装、あるいは販売地点展示（point of sale display）であってもよい。基板は、繊維ベースの材料、例えば紙やカードからなる様々な形態をとることができる。
【００９２】
容量性検出要素３と接続要素５とを支持するシート１を、他の物品に適用することができる。例えば、シート１を射出成型ダイ（図示せず）に配置し、例えばプラスチック（図示せず）のような材料をダイの中に射出し、物品（図示せず）を形成できる。この物品はシート１を含み、その表面を覆っている。したがって、容量性検出要素３を、例えば複雑な形状を持つ物品に簡単に組み合わせることができる。
【図１】
0005986109.tif 000002
【図１ａ】
0005986109.tif 000003
【図１ｂ】
0005986109.tif 000004
【図２】
0005986109.tif 000005
【図３】
0005986109.tif 000006
【図４】
0005986109.tif 000007
【図５】
0005986109.tif 000008
【図６】
0005986109.tif 000009
【図７】
0005986109.tif 000010